(57)【特許請求の範囲】
【請求項１】
画像情報に応じて光学像を形成する電気光学装置と、この電気光学装置で形成された画像を拡大投写する投写レンズと、これらを収容する筐体と、この筐体に回動自在に取り付けられたハンドルとを有し、当該ハンドルおよび前記筐体が各々異種材料からなる投写型表示装置であって、
前記ハンドルおよび前記筐体には、互いに接触した際の摩擦抵抗で該ハンドルの姿勢を維持させるハンドル側接触部および筐体側接触部が設けられ、
これらハンドル側接触部および筐体側接触部は、各々同種材料からなることを特徴とする投写型表示装置。
【請求項２】
請求項１に記載の投写型表示装置において、
前記ハンドル側接触部は、前記ハンドルと同種材料からなり、
前記筐体側接触部は、前記ハンドルと同種材料からなり、かつ前記筐体に固定される固定部材に設けられている投写型表示装置。
【請求項３】
請求項２に記載の投写型表示装置において、前記固定部材は、前記ハンドルを前記筐体に取り付けるための部材を兼用していることを特徴とする投写型表示装置。
【請求項４】
請求項２または請求項３に記載の投写型表示装置において、前記筐体の外面側には前記ハンドルを収容する凹状の収容部が設けられているとともに、この収容部に前記ハンドルが軸支され、かつ前記固定部材が当該収容部に係合した状態で固定されていることを特徴とする投写型表示装置。
【請求項５】
請求項２〜４のいずれかに記載の投写型表示装置において、前記固定部材の筐体側接触部は、当該固定部材の前記筐体への固定方向に沿った面に設けられていることを特徴とする投写型表示装置。
【発明の詳細な説明】
【０００１】
【発明の属する技術分野】
本発明は、画像情報に応じて光学像を形成する電気光学装置と、この電気光学装置で形成された画像を拡大投写する投写レンズと、これらを収容する筐体と、この筐体に回動自在に取り付けられたハンドルとを有し、ハンドルおよび筐体が各々異種材料からなる投写型表示装置に関する。
【０００２】
【背景技術】
従来より、光源と、その光源から出射される光束を画像情報に応じて光学像を形成する電気光学装置と、この電気光学装置で形成された画像を拡大投写する投写レンズとを備えた投写型表示装置が知られている。
【０００３】
このような投写型表示装置は、会議、学会、展示会等でのマルチメディアプレゼンテーションに広く利用される。
【０００４】
ところで、投写型表示装置は、プレゼンテーション用の会議室等に設置された状態で維持されることもあるが、必要に応じて持ち込まれたり、終了後に他の場所に移して保管する場合もあるので、持ち運びを容易にするためのハンドル（把手）を備えている。このようなハンドルには、投写型表示装置の筐体に回動自在に取り付けられたタイプがあり、持ち運び時に回動させて起こし、それ以外の時には倒し込んで邪魔にならないようにしておく。そして、ハンドルとしては、成形性に優れかつ安価な樹脂製のものが多く、部品コストの削減が図られている。
【０００５】
【発明が解決しようとする課題】
前述したハンドルは、図８に示すように、回動軸７００が所定の角度回動すると、突部７１０が筐体８００の内面の接触部８１０間で接触した後（一点鎖線）、この接触部８１０を越えて該内面に係止され（二点鎖線）、よって回動位置での姿勢が維持されるようになっている。
【０００６】
しかしながら、ハンドルが取り付けられる筐体は、装置全体の剛性を確保する目的で金属製とされる場合がある。すなわち、このような場合には、ハンドルを回動させる度に、樹脂製のハンドルの突部と金属製の筐体とが接触することになるため、樹脂製のハンドル側が容易に摩耗し、ハンドルの姿勢を維持できなくなるという問題が生じる。
【０００７】
本発明の目的は、筐体とハンドルとが異種材料からなる場合でも、ハンドルの姿勢を確実に維持できる投写型表示装置を提供することにある。
【０００８】
【課題を解決するための手段】
本発明に係る投写型表示装置は、画像情報に応じて光学像を形成する電気光学装置と、この電気光学装置で形成された画像を拡大投写する投写レンズと、これらを収容する筐体と、この筐体に回動自在に取り付けられたハンドルとを有し、当該ハンドルおよび前記筐体が各々異種材料からなる投写型表示装置であって、前記ハンドルおよび前記筐体には、互いに接触した際の摩擦抵抗で該ハンドルの姿勢を維持させるハンドル側接触部および筐体側接触部が設けられ、これらハンドル側接触部および筐体側接触部は、各々同種材料からなることを特徴とする。
【０００９】
このような本発明においては、ハンドル側接触部と筐体側接触部との接触を伴ってハンドルの姿勢が維持されるが、それらの接触部同士が同種材料からなるため、各接触部のうちのいずれか一方が偏摩耗する心配がなく、筐体とハンドルとが異種材料からなる場合でも、ハンドルの姿勢が確実に維持されるようになる。
【００１０】
また、本発明の投写型表示装置では、前記ハンドル側接触部を前記ハンドルと同種材料とし、前記筐体側接触部を前記ハンドルと同種材料とし、かつこの筐体側接触部を前記筐体に固定される固定部材に設けてもよい。
【００１１】
すなわち、筐体と比較して小さな部材であるハンドル側において、前記ハンドル側接触部の材料をハンドルの材料に合わせるので、それらが共に一体で容易に形成されるようになる。そして、筐体側においては、筐体が比較的大きな部品であるため、固定部材も筐体に合わせて十分大きくでき、固定部材の取り扱いが容易になるとともに、例えばビスなどを用いて筐体に確実に固定される。
【００１２】
この際、前記固定部材は、前記ハンドルを前記筐体に取り付けるための部材を兼用していることが好ましい。
【００１３】
このような場合には、ハンドルが筐体に固定部材で確実に取り付けられるうえ、ハンドル取付用の専用部材を別途設ける必用がなく、部品点数が削減される。
【００１４】
さらに、本発明の投写型表示装置では、前記筐体の外面側に前記ハンドルが収容される凹状の収容部を設けるとともに、この収容部に前記ハンドルを軸支させ、かつ前記固定部材を当該収容部に係合した状態で固定することが好ましい。
【００１５】
ハンドルが単に筐体の外部に設けられているだけでは、ハンドル全体が露出して外観上良好とはいえないが、筐体に収容部を設けてハンドルを収容すれば、見た目にすっきりして外観が良好になる。また、この収容部を利用してハンドルを軸支させるから、軸支専用の構造も別途設ける必用がなく、構造が簡素化される。さらに、その収容部に固定部材を係合させれば、筐体に対する固定部材の位置決めが容易かつ確実に行われるようになり、固定作業を迅速に行える。
【００１６】
そして、本発明の投写型表示装置では、前記固定部材の筐体側接触部を、当該固定部材の前記筐体への固定方向に沿った面に設けてもよい。
【００１７】
筐体に対する固定部材の位置がその固定方向においてばらつく場合があるが、本発明では、そのような固定方向の位置のばらつきに関係なく、ハンドル側接触部と筐体側接触部とを一定の接触抵抗で接触させることができ、投写型表示装置毎にハンドルの付勢具合が異なるといった不具合を生じにくくできる。
【００１８】
【発明の実施の形態】
以下、本発明の実施の一形態を図面に基づいて説明する。
【００１９】
（１）装置の全体構成
図１、図２には、本実施形態に係る投写型表示装置１の概略斜視図が示され、図１は上面側から見た斜視図、図２は下面側から見た斜視図である。
【００２０】
投写型表示装置１は、光源としての光源ランプから出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色の変調光束をプリズム（色合成光学系）により合成して、投写レンズ６を介して投写面上に拡大表示する形式のものである。投写レンズ６の一部を除いて、各構成部品は筐体としての外装ケース２の内部に収納されている。
【００２１】
（２）外装ケースの構造
外装ケース２は、基本的には、装置上面を覆うアッパーケース３と、装置底面を構成するロアーケース４と、背面部分を覆うリアケース５（図２）と、全面部分を覆うフロントケース９とから構成され、リアケース５が樹脂製である他はマグネシウム等の金属製である。
【００２２】
図１に示されるように、アッパーケース３の上面において、その前方側の左右の端には、スピーカ用の多数の連通孔２５Ｒ、２５Ｌが形成されている。また、これらの連通孔２５Ｒ、２５Ｌ間には、投写型表示装置１の画質等を調整するための操作パネル６０が設けられている。さらに、フロントケース９の前面の向かって右上部分には、図示略のリモートコントローラからの光信号を受信するための受光部７０が設けられている。
【００２３】
図２に示されるように、ロアーケース４の底面の略中央には、装置内部を冷却する冷却空気を取り入れるための空気取入口２４０が設けられている。空気取入口２４０は、樹脂製のフィルタ交換蓋２４１に設けられており、このフィルタ交換蓋２４１をロアーケース４の側面側から着脱することで、内部のフィルタを交換することが可能である。
【００２４】
また、ロアーケース４の底面には、その前端の左右の角部にフット３１Ｒ、３１Ｌが設けられ、後端の略中央部にフット３１Ｃが設けられている。尚、フット３１Ｒ、３１Ｌの上下の進退量を調整することによって、表示画面の傾きを変更することが可能である。
【００２５】
このロアーケース４の一方の立上部分には、装置１持ち運び用のハンドル９０が設けられており、このハンドル９０は、図１中に二点鎖線で示すように、収納状態から略９０°の角度範囲で回動可能とされ、必要に応じて起こして用いられる。
【００２６】
リアケース５には、図２に示されるように、外部電力供給用のＡＣインレット５０や各種の入出力端子群５１が配置され、これらの入出力端子群５１に隣接して、装置内部の空気を排出する通気口としての排気口１６０が形成されている。そして、このリアケース５にも、フロントケース９と同様に受光部７０が設けられている。
【００２７】
（３）装置の内部構造
図３には、投写型表示装置１の内部構造が示されている。
【００２８】
この図に示されるように、装置１の内部には、投写レンズ６の一側方に配置された電源としての電源ユニット７、電源ユニット７の後方に配置された光源ランプユニット８、光学系を構成する光学ユニット１０、ユニット１０内の電気光学装置９２５を駆動するドライバーボード（図示せず）、および装置１全体を制御するメインボード（図示せず）などが収容されている。
【００２９】
電源ユニット７は、図２に示すＡＣインレット５０からの電力を変圧して光源ランプユニット８や、ドライバーボード、メインボード、電気光学装置９２５の下方または上下両方に配置された吸気ファン（図示せず）、および光源ランプユニット８の後方に配置された排気ファン１６などに供給するものであり、電源フィルタ、トランス（変圧器）、整流回路、平滑回路、電圧安定回路等が形成された電源回路基板の他、光源ランプユニット８の光源ランプ１８１を駆動するためのランプ駆動基板等を備えている。
【００３０】
光源ランプユニット８は、投写型表示装置１の光源部分を構成するものであり、図４にも示されるように、光源ランプ１８１およびリフレクタ１８２からなる光源装置１８３と、この光源装置１８３を収納するランプハウジング（図示せず）とを有している。このような光源ランプユニット８は、前述した吸気ファンからの冷却空気や、外装ケース２と投写レンズ６との間の隙間から吸引される冷却空気で冷却される。冷却空気は、先ず、吸引された直後に電気光学装置９２５および電源ユニット７等を冷却し、この後に装置１内部の略全域を冷却するように後方に流れ、最終的にはその大部分が光源ランプユニット８内を通って背後の排気ファン１６で排気される。従って、排気ファン１６の直前に光源ランプユニット８が配置されていることにより、その内部の光源装置１８３を大量の冷却空気で効率よく冷却することが可能である。
【００３１】
光学ユニット１０は、光源ランプユニット８から出射された光束を、光学的に処理して画像情報に対応した光学像を形成するユニットであり、照明光学系９２３、色分離光学系９２４、電気光学装置９２５、および色合成光学系としてのプリズムユニット９１０とを含んで構成される。電気光学装置９２５およびプリズムユニット９１０以外の光学ユニット１０の光学素子は、上下のライトガイド（図示せず）の間に上下に挟まれて保持された構成となっている。尚、これらの上ライトガイド、下ライトガイドは一体とされて、ロアーケース４の側に固定ネジにより固定されている。また、これらのライトガイドは、プリズムユニット９１０の側に同じく固定ネジによって固定されている。
【００３２】
直方体状のプリズムユニット９１０は、図５に示されるように、マグネシウムの一体成形品から構成される側面略Ｌ字状のヘッド体９０３の裏面側に固定ネジにより固定されている。また、電気光学装置９２５を構成する各液晶パネル９２５Ｒ、９２５Ｇ、９２５Ｂは、プリズムユニット９１０の３側面に固定部材を介して固定されている。
【００３３】
さらに、図示は省略されているが、電気光学装置９２５の各液晶パネル９２５Ｒ、９２５Ｇ、９２５Ｂを駆動・制御するためのドライバーボードが光学ユニット１０の上方に配置され、その上に、投写型表示装置１全体を制御する制御回路が形成されたメインボードが配置される。メインボードは、前述のドライバーボードおよび操作パネル６０と電気的に接続される。
【００３４】
（４）光学系の構造
次に、投写型表示装置１の光学系即ち光学ユニット１０の構造について、図４に示す模式図に基づいて説明する。
【００３５】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する電気光学装置９２５と、変調後の各色光束を合成するプリズムユニット９１０とを含んで構成されている。照明光学系９２３は、第１のレンズ板９２１と、その出射側に配置された第２のレンズ板９２２と、光源ランプユニット８から出射された光束Ｗの光軸１ａを装置１前方向に折り曲げる反射ミラー９３１とを備えている。
【００３６】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００３７】
第２のレンズ板９２２は、マトリクス状に配置された複数の矩形レンズを有しており、第１のレンズ板９２１から出射された各部分光束を電気光学装置９２５を構成する液晶パネル９２５Ｒ、９２５Ｇ、９２５Ｂ（後述）上に重畳させる機能を有している。
【００３８】
このように、本例の投写型表示装置１では、照明光学系９２３により、液晶パネル９２５Ｒ、９２５Ｇ、９２５Ｂ上をほぼ均一な照度の光で照明することができるので、照度ムラのない投写画像を得ることができる。
【００３９】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００４０】
赤色光束Ｒは、この青緑反射ダイクロイックミラー９４１を通過し、後方の反射ミラー９４３で直角に反射されて、赤色光束Ｒの出射部９４４からプリズムユニット９１０の側に出射される。
【００４１】
次に、青緑反射ダイクロイックミラー９４１で反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。
【００４２】
この緑反射ダイクロイックミラー９４２を通過した青色光束Ｂは、青色光束Ｂの出射部９４６からリレー光学系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００４３】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００４４】
このように平行化された赤色、緑色光束Ｒ、Ｇは、入射側偏光板９６０Ｒ、９６０Ｇを通って光変調装置である液晶パネル９２５Ｒ、９２５Ｇに入射して変調され、各色光に対応した画像情報が付加される。すなわち、これらの液晶パネル９２５Ｒ、９２５Ｇは、前述のドライバーボードによって画像情報に応じてスイッチング制御されて、これにより、ここを通過する各色光の変調が行われる。
【００４５】
一方、青色光束Ｂは、リレー光学系９２７を介して対応する液晶パネル９２５Ｂに導かれ、ここにおいて、同様に画像情報に応じて変調が施される。尚、本実施形態の液晶パネル９２５Ｒ、９２５Ｇ、９２５Ｂとしては、例えば、ポリシリコンＴＦＴをスイッチング素子として用いたものを採用することができる。
【００４６】
リレー光学系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶パネル９２５Ｂの手前側に配置した集光レンズ９５３とから構成されており、集光レンズ９５３から出射した青色光束Ｂは、入射側偏光板９６０Ｂを通って液晶パネル９２５Ｂに入射して変調される。
【００４７】
この際、光束Ｗの光軸１ａおよび各色光束Ｒ、Ｇ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、リレー光学系９２７を介在させることにより、光量損失を抑制できる。
【００４８】
次に、各液晶パネル９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にある投写面１００上に拡大投写されるようになっている。
【００４９】
（５）ハンドルの取出構造
図６は、ハンドル９０取り付け部分の分解斜視図、図７は、ハンドル９０取り付け部分を、ハンドルが取り付けられるロアケース４に沿って、ハンドルのほぼ中央部で切り取った断面図である。
【００５０】
図６、図７に示すように、ハンドル９０はコ字形状の樹脂成形品であり、その両端には回動軸９１が一体成形されている。また、各回動軸９１の周面上にはハンドル側接触部としての突部９２が一体成形されている。従って、この突部９２の材料はハンドル９０と同じものとされている。このようなハンドル９０は、ロアーケース４の側面に設けられた凹状の収容部４１に収容され（図１〜３参照）、この収容部４１の上端に設けられた支持部４２にハンドル９０の回動軸９１が軸支されている。
【００５１】
一方、ロアーケース４の収容部４１の両上端には、この収容部４１の横断面形状よりも一回り大きい固定部材１１０が係合されている。この固定部材１１０は、ハンドル９０（突部９２）と同じ材料からなる樹脂成形品であり、収容部４１に係合した状態でビス１１１によってロアーケース４に固定されている。この際、固定部材１１０のビス孔近傍には、上下に貫通した小穴１１２（図６）が穿設されており、各小穴１１２にロアーケース４の係合部４３が嵌合し、固定部材１１０の位置決めが行われるようになっている。
【００５２】
また、ハンドル９０の回動軸９１は、前記支持部４２と固定部材１１０に設けられた開口部１１３の上部内面との間で保持され、よってロアーケース４へのハンドル９０の取り付けが行えるようになっている。つまり、この固定部材１１０がハンドル９０のロアーケース４０への取付部材を兼用している。
【００５３】
図６中の点鎖で囲む部位は、固定部材１１０の内面に設けられた筐体側接触部（以下、接触部と略す）１１４である。ハンドル９０を回動させた際、回動軸９１の突部９２が接触部１１４に接触する。そして、この接触部１１４が設けられた面は、固定部材１１０の固定方向（図中の白抜き矢印）に沿った鉛直面であり、突部９２が接触部１１４を前記固定方向に対して直交する方向に押圧することで、突部９２および接触部１１４間に接触抵抗が生じるようになっている。
【００５４】
（６）実施形態の効果
前述のような本実施形態によれば、以下のような効果がある。
【００５５】
すなわち、投写型表示装置１では、ハンドル９０に設けられた突部９２とロアーケース４側の接触部１１４との接触を伴ってハンドル９０の姿勢が維持されるが、それらの突部９２および接触部１１４が共に樹脂製であり、同種材料からなるため、突部９２および接触部１１４のうちのいずれか一方が偏摩耗する心配がなく、ロアーケース４が金属とされ、ハンドル９０が樹脂製である場合でも、ハンドル９０の繰り返し操作に十分に耐えることができ、その姿勢を確実に維持できる。
【００５６】
しかも、ハンドル９０および突部９２の材料が同じであるから、ハンドル９０と突部９２とを一体成形でき、ロアーケース４と比較して小さいハンドル９０を別部材の組み付けなどを行わずに容易に形成できる。
【００５７】
そして、接触部１１４が設けられた固定部材１１０は、ロアーケース４とは別部材であるが、ロアーケース４が比較的大きな部品であるため、固定部材１１０もロアーケース４に合わせて十分大きくできる。従って、固定部材１１０を容易に取り扱えるとともに、ビス１１１でロアーケース４に確実に固定できる。
【００５８】
また、固定部材１１０は、ハンドル９０をロアーケース４に取り付けるための取付部材を兼用しているので、ハンドル９０をロアーケース４に固定部材１１０を介して確実に取り付けることができるうえ、ハンドル９０取付用の専用部材を別途設ける必用がなく、部品点数を削減できる。
【００５９】
さらに、ロアーケース４の外面側にはハンドル９０を収容する凹状の収容部４１が設けられているため、ハンドル９０を用いない時には、この収容部４１にハンドル９０を収容させておけばよく、投写型表示装置１の見た目をすっきりさせて外観を良好にできる。
【００６０】
そして、その収容部４１を利用してハンドル９０が軸支されるから、軸支専用の構造も別途設ける必用がなく、構造を簡素化できる。
【００６１】
また、その収容部４１に固定部材１１０が係合されるので、固定部材４１を収容部４１に沿ってスライドさせれば、ロアーケース４に対する固定部材１１０の位置決め、すなわちロアーケース４の係合部４３と固定部材１１０の小穴１１２とを容易に嵌合でき、固定部材１１０の固定作業を容易かつ迅速に行える。
【００６２】
本実施形態では、ビス１１１の締付トルクのばらつき等により、固定部材１１０の位置がその固定方向においてばらつく場合がある。しかし、本実施形態では、固定部材１１０の接触部１１４が当該固定部材１１０の固定方向に沿った鉛直面に設けられているため、固定部材１１０の位置がそのような固定方向にばらついても、ハンドル９０の突部９２と接触部１１４とを一定の接触抵抗で接触させることができ、投写型表示装置１毎にハンドル９０の付勢具合が異なるといった不具合を生じにくくできる。
【００６３】
（７）実施形態の変形
尚、本発明は上述した実施形態に限定されるものではなく、以下に示すような変形をも含むものである。
【００６４】
例えば前記実施形態では、ハンドル９０および突部９２は一体成形によって形成されていたが、それぞれを別部材とし、互いを組み付けることで一体にしてもよい。ただし、ハンドル９０や突部９２は比較的小さいので、それらを別部材にすると、互いの組付作業に手間がかかる可能性がある。このため、ハンドル９０と突部９２とが同種材料である場合には、実施形態のように一体成形するのが好ましい。
【００６５】
また、前記実施形態では、ハンドル９０、突部９２、および固定部材１１０が全て同じ材料で形成されていたが、本発明によれば、突部９２および固定部材１１０のみを同種材料で形成すればよいので、ハンドル９０と突部９２とを各々異種材料で形成してもよい。例えば、前記実施形態のようにロアーケース４を金属とし、ハンドル９０を樹脂製とした場合、突部９２および固定部材１１０を木製やセラミック製などとしてもよい。
【００６６】
さらに、固定部材１１０を金属製とし、突部９２も金属製とした場合でも本発明に含まれる。このような場合には、金属製の突部９２をインサートモールドによってハンドル９０と一体成形したり、固定部材１１０の替わりを果たす部位をロアーケース４に一体成形してもよい。こうすることにより、固定部材１１０を不要にでき、部品点数をさらに削減できるという効果がある。
【００６７】
前記実施形態では、電気光学装置９２５は、ＴＦＴ駆動の液晶パネル９２５Ｒ、９２５Ｇ、９２５Ｂから構成されていたが、これに限らず、ＴＮ、ＳＴＮ等他の駆動方式から構成される光変調装置を備えた投写型表示装置に本発明を採用してもよい。
【００６８】
そして、前記実施形態では、電気光学装置９２５は、３枚の液晶パネル９２５Ｒ、９２５Ｇ、９２５Ｂから構成されていたが、これに限らず、１枚、２枚の液晶パネルから構成される光変調装置に本発明を採用してもよい。
【００６９】
また、前記実施形態では、電気光学装置９２５を構成するパネルは液晶素子から構成されていたが、液晶以外のプラズマ素子、マイクロミラーを用いたデバイスパネルから構成される光変調装置を備えた投写型表示装置に本発明を採用してもよい。
【００７０】
さらに、前記実施形態における電気光学装置９２５は、光束Ｒ、Ｇ、Ｂを透過して変調する形式のものであったが、これに限らず、入射した光を反射しつつ変調して出射する反射型の光変調装置を備えた投写型表示装置に本発明を採用してもよい。
【００７１】
その他、本発明の実施の際の具体的な構造および形状等は、本発明の目的を達成できる範囲で他の構造等としてもよい。
【００７２】
【発明の効果】
前述のような本発明によれば、ハンドル側接触部および筐体側接触部同士が同種材料からなるため、それらの接触を伴ってハンドルの姿勢を維持させるにあたっては、各接触部のうちのいずれか一方が偏摩耗する心配がなく、筐体とハンドルとが異種材料からなる場合でも、ハンドルの姿勢を確実に維持できるという効果がある。
【図面の簡単な説明】
【図１】本発明の実施形態に係る投写型表示装置の上部から見た外観斜視図である。
【図２】前記実施形態における投写型表示装置の下部から見た外観斜視図である。
【図３】前記実施形態における投写型表示装置の内部構造を表す斜視図である。
【図４】前記実施形態における光学系の構造を説明するための模式図である。
【図５】前記実施形態の構成部品を示す斜視図である。
【図６】前記実施形態の要部を示す分解斜視図である。
【図７】前記要部を示す縦断面図である。
【図８】従来技術を示す模式図である。
【符号の説明】
１  投写型表示装置
２  筐体である外装ケース
６  投写レンズ
８  光源
４１  収容部
９０  ハンドル
９２  ハンドル側接触部である突部
１１０  固定部材
１１３  筐体側接触部
９２５  電気光学装置
【図１】
0003580170.tif 000002
【図２】
0003580170.tif 000003
【図３】
0003580170.tif 000004
【図４】
0003580170.tif 000005
【図５】
0003580170.tif 000006
【図６】
0003580170.tif 000007
【図７】
0003580170.tif 000008
【図８】
0003580170.tif 000009